(57)【要約】【課題】ゴルフボールが嵌り込むボール保持部の寸法精度が比較的低いものであっても、ゴルフボールを確実に保持するとともにその取り外しも容易にすることができるゴルフボール拾い上げ具を提供することである。【解決手段】円が内接する形状となる開口１１１から続く凹部１１０の形成されたボール保持部１１を有し、ボール保持部１１がその開口１１１から凹部１１０に嵌り込むゴルフボール５０を保持するようにしたゴルフボール拾い上げ具であって、凹部１１０の内周面は、開口１１１から凹部１１０に嵌り込むゴルフボール５０がその中心Ｏが当該凹部１１０の外側に位置する状態で接するように傾斜する傾斜面部分１１２を有する構成となる。【選択図】図４Ａ
2010253098.tif 000002
【特許請求の範囲】
【請求項１】
円が内接する形状となる開口から続く凹部の形成されたボール保持部を有し、該ボール保持部がその開口から前記凹部に嵌り込むゴルフボールを保持するようにしたゴルフボール拾い上げ具であって、
前記凹部の内周面は、前記開口から前記凹部に嵌り込むゴルフボールがその中心が当該凹部の外側に位置する状態で接するように傾斜する傾斜面部分を有するゴルフボール拾い上げ具。
【請求項２】
前記傾斜面部分は、円錐の傾斜する表面形状となる請求項１記載のゴルフボール拾い上げ具。
【請求項３】
ゴルフボールの前記凹部の内周面に当接する外周部位と前記開口縁までの距離が、前記ゴルフボールの中心に対応した最大外径の外周部位と前記開口縁までの距離より小さい請求項１または２記載のゴルフボール拾い上げ具。
【発明の詳細な説明】
【技術分野】
【０００１】
本発明は、ゴルフ場等でゴルフボールを拾上げるためのゴルフボール拾い上げ具に係り、特に、円が接する形状となる開口から続く凹部の形成されたボール保持部を有し、該ボール保持部がその開口から前記凹部に嵌り込むゴルフボールを保持するようにしたゴルフボール拾い上げ具に関する。
【背景技術】
【０００２】
従来、ゴルフ場でカップインしたゴルフボール等を腰を大きくかがめることなく拾い上げることのできるゴルフボール拾い上げ具が種々提案されている。例えば、特許文献１に記載されるゴルフボール拾い上げ具は、剛性体からなり、その内径がゴルフボールの外径より僅かに小さく設定された短円筒形の口枠（ボール保持部）を有し、弾性を有するゴルフボールを前記口枠に密に嵌め込むようにして保持し、そのゴルフボールを拾い上げることができるようにしている。
【先行技術文献】
【特許文献】
【０００３】
【特許文献１】特許第３７２１５６０号公報
【発明の概要】
【発明が解決しようとする課題】
【０００４】
しかし、前記特許文献１に記載されるゴルフボール拾い上げ具では、短円筒形の口枠の内径がゴルフボールの外径より僅かにでも大きいと、ゴルフボールと口枠の内周面との間に隙間ができてゴルフボールを有効に保持することができない。一方、口枠の内径がゴルフボールの外径より小さすぎると、ゴルフボールの表層が弾性体であっても、そのゴルフボールが口枠に嵌り難くなり、今度はゴルフボールを拾い上げることが難しくなる場合があり、また、口枠をゴルフボールに強く押し付けることで、ゴルフボールが口枠にきつく嵌りこんで取り出せなくなってしまう場合がある。
【０００５】
このため、前述した従来のゴルフボール拾い上げ具では、短円筒形の口枠（ボール保持部）の内径の寸法精度を非常に高くしなければならず、当該口枠について高い加工精度が要求されるものであった。
【０００６】
本発明は、このような事情に鑑みてなされたもので、ゴルフボールが嵌り込むボール保持部の寸法精度が比較的低いものであっても、ゴルフボールを確実に保持するとともにその取り外しも容易にすることができるゴルフボール拾い上げ具を提供するものである。
【課題を解決するための手段】
【０００７】
本発明に係るゴルフボール拾い上げ具は、円が内接する形状となる開口から続く凹部の形成されたボール保持部を有し、該ボール保持部がその開口から前記凹部に嵌り込むゴルフボールを保持するようにしたゴルフボール拾い上げ具であって、前記凹部の内周面は、前記開口から前記凹部に嵌り込むゴルフボールがその中心が当該凹部の外側に位置する状態で接するように傾斜する傾斜面部分を有する構成となる。
【０００８】
このような構成により、ゴルフボールがボール保持部の開口から凹部に嵌り込むと、前記凹部の内周面の傾斜面部分にてゴルフボールがその中心が前記凹部の外側に位置する状態で当接するので、その傾斜面部分がゴルフボールの周囲をその中心に向けて押えるようになり、それにより当該ゴルフボールがボール保持部に保持されるようになる。
【０００９】
本発明に係るゴルフボール拾い上げ具において、前記傾斜面部分は、円錐の傾斜する表面形状とすることができる。
【００１０】
このような構成により、円形断面の傾斜面部分によってゴルフボールの全周囲をより均一に押えることができるようになる。
【００１１】
また、本発明に係るゴルフボール拾い上げ具において、ゴルフボールの前記凹部の内周面に当接する外周部位と前記開口縁までの距離が、前記ゴルフボールの中心に対応した最大外径の外周部位と前記開口縁までの距離より小さい構成とすることができる。
【００１２】
このような構成により、ゴルフボールが凹部に嵌りこんでボール保持部に保持された状態において、当該ゴルフボールの開口から露出する部分がより大きくなるので、その露出した部分をつかみ易くなって、ボール保持部に保持されたゴルフボールをより簡単に取り外すことができるようになる。
【発明の効果】
【００１３】
本発明に係るゴルフボール拾い上げ具によれば、ボール保持部の凹部における傾斜面部分がゴルフボールの周囲をその中心に向けて押えることにより当該ゴルフボールがボール保持部に保持されるようになるので、傾斜面部分のゴルフボールの接する位置が多少ずれても当該ゴルフボールの周囲をその中心に向けて押える状態はほとんど変わらない。従って、凹部の内周面の寸法精度が比較的低いものであっても、ゴルフボールを確実に保持することができる。また、ゴルフボールはその中心が凹部の外側に位置する状態で当該凹部に嵌り込むようになるので、ボール保持部（凹部）に嵌ったゴルフボールを容易に取り外すことができるようになる。
【図面の簡単な説明】
【００１４】
【図１】本発明の第１の実施形態に係るゴルフボール拾い上げ具の全体外観を示す斜視図である。
【図２】前記ゴルフボール拾い上げ具のボール保持部を下方から見た状態を示す平面図である。
【図３】前記ゴルフボール拾い上げ具のボール保持部の図２に示すＡ−Ａでの断面を示す断面図である。
【図４Ａ】ゴルフボールを保持した状態でのボール保持部の断面を示す断面図である。
【図４Ｂ】ゴルフボール拾い上げ具におけるボール保持部の第１の変形例を示す断面図である。
【図５】ゴルフボール拾い上げ具におけるボール保持部の第２の変形例を示す断面図である。
【図６】ゴルフボール拾い上げ具におけるボール保持部の第３の変形例を示す平面図である。
【発明を実施するための形態】
【００１５】
以下、本発明の実施の形態について図面を用いて説明する。
【００１６】
図１は、本発明の第１の実施形態に係るゴルフボール拾い上げ具の外観を示す。図１において、ゴルフボール拾い上げ具１０は、シャフト１２の一端部にボール保持部１１が固定されるとともに、シャフト１２の他端部にグリップ部１３が固定され、更に、シャフト１２の所定位置に引掛部１４が固定された構造となっている。ボール保持部１１は、例えば、比較的軽くゴルフボールより剛性のあるアルミニウムや、更に剛性の高い他の金属にて形成することができ、その先端が円形（円が内接する形状）に開口している。そして、ボール保持部１１にはその開口１１１から奥方に続く凹部１１０が形成されている。このゴルフボール拾い上げ具１０の全長は、例えば、４０センチメートル程度に設定されている。詳細は後述するが、利用者は、グリップ部１３を持ってカップインしたゴルフボールにボール保持部１１の開口１１１を押し当てることにより、ゴルフボールが開口１１１から凹部１１０に嵌り込んでボール保持部１１に保持される。この状態で、このゴルフボール拾い上げ具１０を引き上げることにより、カップインしたゴルフボールを拾い上げることができる。なお、引掛部１４はＬ字型の形状であり、そのＬ字部分を例えばズボンのポケットやゴルフバッグなどに引っ掛けることができる。
【００１７】
ボール保持部１１の更に詳細な構造について、更に図２乃至図４Ａを参照して説明する。なお、図２は、ボール保持部１１を下方から見た状態を示す平面図であり、図３は、ボール保持部１１を図２に示すＡ−Ａにて切断した断面を示す断面図であり、図４は、ゴルフボールを保持した状態でのボール保持部１１の断面を示す断面図である。
【００１８】
図２及び図３において、円形の開口１１１から奥方に続く凹部１１０は、円錐台状に凹んだ形状となっており、その内周面は、円錐の傾斜する表面形状となる傾斜面部分１１２と、開口１１１に正対し、該開口１１１の円形より小径の円形となる奥面１１３とから構成されている。ボール保持部１１の開口１１１とは逆側の外部には取り付け孔１１４が形成されており、シャフト１２が開口１１１の面に略垂直となるようにその一端が取り付け孔１１４に嵌入固定される。
【００１９】
傾斜面部分１１２の開口１１１の面に対する傾斜角度α（図３参照）は、図４Ａに示すように、開口１１１から凹部１１０に嵌り込むゴルフボール５０（例えば、その外径が４２．６７ミリメートル）が、その中心Ｏが凹部１１０の外部（開口１１１の外側）に位置した状態で傾斜面部分１１２に当接し、このようなゴルフボール５０の凹部１１０への嵌り込んだ状態が維持される（ゴルフボール５０がボール保持部１１に保持される）ように設定されている。具体的には、傾斜面部分１１２の開口１１１の面に対する傾斜角度αは、例えば、７０度以上（９０度未満）の適当な角度に設定される。開口１１１の直径ａは、ゴルフボール５０の最大外径の外周部位５１ａより小さい外径となる外周部位５１ｂが凹部１１０の傾斜面部分１１２（内周面）に当接して上述したようにゴルフボール５０が凹部１１０に嵌り込むことを妨げない値に設定される。なお、凹部１１０の深さｂは、この凹部１１０に嵌り込んだゴルフボール５０が奥面１１３に当接しないような適当な値に設定される。
【００２０】
このような構造のゴルフボール拾い上げ具１０を利用する利用者がグリップ部１３を持ってカップインしたゴルフボール５０にボール保持部１１の開口１１１を押し当てると、ゴルフボール５０が、図４Ａに示すように、開口１１１から凹部１１０に嵌り込み、その中心Ｏが凹部１１０の外側に位置する状態で内周面の傾斜面部分１１２に当接する。この状態で、傾斜面部分１１２のゴルフボール５０との円状の当接部分（ゴルフボール５０の外周部位５１ｂに対応）がゴルフボール５０の全周囲にわたってその中心Ｏに向けて均等に押えるようになる。これによりゴルフボール５０の凹部１１０への嵌り込んだ状態が維持される、即ち、ゴルフボール５０がボール保持部１１に保持されるようになる。そして、ゴルフボール５０がボール保持部１１に保持された状態でゴルフボール拾い上げ具１０を引き上げ、ゴルフボール５０をボール保持部１１から手で取り外すことができる。
【００２１】
前述した第１の実施の形態に係るゴルフボール拾い上げ具１０によれば、ボール保持部１１の凹部１１０における傾斜面部分１１２がゴルフボール５０の周囲をその中心Ｏに向けて押えることにより当該ゴルフボール５０がボール保持部１１に保持されるようになるので、傾斜面部分１１２のゴルフボール５０の接する位置が、例えば、図４Ａに示す範囲Ｅ内で多少ずれても当該ゴルフボール５０の周囲をその中心Ｏに向けて押さえる状態はほとんど変わらない。従って、凹部１１０の内周面（特に傾斜面部分１１２）の寸法精度が比較的低いものであっても、ゴルフボール５０を確実に保持することができる。
【００２２】
また、ゴルフボール５０がボール保持部１１に保持された状態では、ゴルフボール５０の中心Ｏがボール保持部１１の開口１１１の外側に位置していることから、ゴルフボール５０の半球部分以上が開口１１１から露出する。従って、ゴルフボール５０の半球部分以上を手で持つことができるようになり、ボール保持部１１（凹部１１０）に嵌ったゴルフボール５０を手によって容易に取り外すことができる。
【００２３】
なお、前述した第１の実施の形態に係るゴルフボール拾い上げ具１０では、ボール保持部１１をアルミニウム等の金属にて形成し得るものとしたが、硬質の樹脂や木材等の他の材料にて形成することもできる。また、金属や樹脂にて形成する場合に、その表面をメッキ仕上げすることも可能である。
【００２４】
また、ボール保持部１１における凹部１１０の内周面を構成する傾斜面部分１１２の開口１１１の面に対する傾斜角度αの最適な値は、ゴルフボール５０の傾斜面部分１１２に対する滑り易さの度合い（摩擦力）に応じて異なり得る。一般に、傾斜面部分１１２が滑り易い材料で形成される、あるいは、滑り易い表面処理（例えば、メッキ処理等）がなされている場合には、傾斜角度αは、比較的大きい値（９０度に近い値）が好ましく、傾斜面部分１１２が滑り難い材料で形成される、あるいは、滑り難い表面処理（例えば、ブラスト処理等）がなされている場合には、傾斜角度αは、小さい値（９０度から離れた値）に設定することができる。
【００２５】
ところで、前述したボール保持部１１（図４Ａ参照）において、凹部１１０の開口１１１の縁から傾斜面部分１１２のゴルフボール５０が当接する部位（ゴルフボール５０の外周部位５１ｂに対応）の手前までの部分は、ゴルフボール５０の保持には寄与していない。即ち、凹部１１０の開口１１１の縁から傾斜面部分１１２のゴルフボール５０が当接するまでの部位は、ゴルフボール５０のその当接部位のずれ得る範囲Ｅを確保できれば、どんなに小さくてもゴルフボール５０の保持機能に影響はない。従って、図４Ｂに示すように、ゴルフボール５０の凹部１１０の傾斜面部分１１２（内周面）に当接する外周部位５１ｂと開口１１１の縁までの距離Ｌ１を、ゴルフボール５０の中心Ｏに対応した最大外径の外周部分５１ａと開口１１１の縁までの距離Ｌ２より短く設定することができる。
【００２６】
この場合、ボール保持部１１によるゴルフボール５０を保持する力については、図４Ａに示す構造と同じである一方、ボール保持部１１のゴルフボール５０を覆う量が少なくなる（図４Ｂにおけるボール保持部１１の先端破線部分参照）ので、ゴルフボール５０の凹部１１０（開口１１１）から露出する部分がより大きくなる。これにより、ボール保持部１１に保持されたゴルフボール５０の露出した部分を手でつかみ易くなり、そのゴルフボール５０をより簡単にボール保持部１１から取り外すことができるようになる。また、ボール保持部１１のゴルフボール５０を覆う量が少なくなる分、軽量化を図ることができる。
【００２７】
前述したボール保持部は、図５に示すように構成することもできる。図５に示すボール保持部２１では、形成される凹部２１０の形状が前述したボール保持部１１の凹部１１０（図２及び図３参照）と異なる。
【００２８】
図５において、ボール保持部２１の先端に形成された円形の開口２１１から奥方に続く凹部２１０は、開口２１１から円錐台状に凹んだ部分、それに続いて円筒状に凹んだ部分、更に、中央に向かって略円錐状に凹んだ部分から構成される。そして、凹部２１０の内周面は、前記円錐台状に凹んだ部分に対応する傾斜面部分２１２ａと、前記円筒状に凹んだ部分に対応して開口２１１の面に対して垂直に延びる垂直面部分２１２ｂと、前記略円錐状に凹んだ部分に対応する奥面２１３とから構成される。なお、前述した第１の実施の形態の場合と同様に、ボール保持部２１の開口２１１とは逆側の外部にはシャフト１２の異端が嵌入固定されるべき取り付け孔２１４が形成されている。
【００２９】
凹部２１０における傾斜面部分２１２ａの開口２１１の面に対する傾斜角度は、前述した第１の実施の形態の場合と同様に、開口２１１から凹部２１０に嵌り込むゴルフボール５０（例えば、その外径が４２．６７ミリメートル）が、その中心Ｏが凹部２１０の外部に位置した状態で傾斜面部分２１２ａに当接し、このようなゴルフボール５０の凹部２１０への嵌り込んだ状態が維持される（ゴルフボール５０がボール保持部２１に保持される）ように設定される。
【００３０】
このようなボール保持部２１を用いることにより、第１の実施の形態の場合と同様に、傾斜面部分２１２ａのゴルフボール５０の接する位置が、例えば、図５に示す範囲Ｅ内で多少ずれても、傾斜面部分２１２ａが当該ゴルフボール５０の周囲をその中心Ｏに向けて押さえる状態はほとんど変わらないので、凹部２１０の内周面（特に傾斜面部分２１２ａ）の寸法精度が比較的低いものであっても、ゴルフボール５０を確実に保持することができる。また、ゴルフボール５０がボール保持部２１に保持された状態では、ゴルフボール５０の中心Ｏがボール保持部２１の開口２１１の外側に位置していることから、開口２１１から露出するゴルフボール５０の半球部分以上を手で持つことができるようになり、ボール保持部２１（凹部２１０）に嵌ったゴルフボール５０を手によって容易に取り外すことができる。
【００３１】
更に、凹部２１０において開口２１１から円錐台状の部分（傾斜面部分２１２ａに対応）が奥面２１３まで続かず、途中から円筒状の部分（垂直面部分２１２ｂに対応）になり、更に、中央に向かって略円錐台に凹んだ部分（奥面２３１に対応）が続くので、円筒状部分や奥面２１３の部分でのボール保持部２１の肉厚を、そのまま円錐台状の部分が続き、奥面が平坦な場合（第１の実施の形態の場合）に比べて薄くすることができる。そのため、アルミニウム等の金属にて形成されるボール保持部２１の軽量化を図ることができる。
【００３２】
更に、前述したボール保持部１１、２１は、開口１１１、２１１が円形であったが、これに限られず、円が内接する多角形であってもよい。例えば、図６に示すように、ボール保持部３１の開口３１１を正八角形に形成することができる。この場合、その正八角形の開口３１１から奥方に続く凹部３１０の内周面は、開口３１１の正八角形の各辺に対応した８つの平面３１２ａ、３１２ｂ、３１２ｃ、３１２ｄ、３１２ｅ、３１２ｆ、３１２ｇ、３１２ｈと、奥面３１３とによって構成される。そして、これら８つの平面３１２ａ、３１２ｂ、３１２ｃ、３１２ｄ、３１２ｅ、３１２ｆ、３１２ｇ、３１２ｈが奥方にいくほど近づくように傾斜している。
【００３３】
このようなボール保持部３１では、ゴルフボール５０が、その中心が開口３１１の外側に位置する状態で、各平面１２ａ、３１２ｂ、３１２ｃ、３１２ｄ、３１２ｅ、３１２ｆ、３１２ｇ、３１２ｈに当接し、このようなゴルフボール５０の凹部３１０への嵌り込んだ状態が維持される（ゴルフボール５０がボール保持部３１に保持される）。
【００３４】
なお、前述した各ボール保持部１１（２１、３１）の凹部１１０（２１０、３１０）は、奥面１１３（２１３、３１３）を有し、閉じた構造であったが、傾斜面部分１１２（２１２ａ、３１２ａ〜３１２ｈ）があれば、開口１１１（２１１、３１１）から奥方に向けて貫通する構造のものであってもよい。
【００３５】
また、前述したゴルフボール拾い上げ具１０（図１参照）は、シャフト１２の一端にボール保持部１１（２１、３１）が固定されるものであったが、特許文献１に開示されるものと同様に、ボール保持部１１（２１、３１）をゴルフクラブのグリップに装着できる構造とすることもできる。
【産業上の利用可能性】
【００３６】
以上、説明したように、本発明に係るゴルフボール拾い上げ具は、ゴルフボールが嵌り込むボール保持部の寸法精度が比較的低いものであっても、ゴルフボールを確実に保持するとともにその取り外しも容易にすることができるようになるという効果を有し、ボール保持部がその開口から前記凹部に嵌り込むゴルフボールを保持するようにした構造のゴルフボール拾い上げ具として有用である。
【符号の説明】
【００３７】
１０  ゴルフボール拾い上げ具
１１  ２１  ３１  ボール保持部
１２  シャフト
１３  グリップ部
１４  引掛部
５０  ゴルフボール
１１０、２１０、３１０  凹部
１１１、２１１、３１１  開口
１１２、２１２ａ  傾斜面部分
１１３、２１３、３１３  奥面
１１４、２１４  取り付け孔
２１２ｂ  垂直面部
【図１】
2010253098.tif 000003
【図２】
2010253098.tif 000004
【図３】
2010253098.tif 000005
【図４Ａ】
2010253098.tif 000006
【図４Ｂ】
2010253098.tif 000007
【図５】
2010253098.tif 000008
【図６】
2010253098.tif 000009